(57)【要約】      （修正有）【課題】ロウ垂れを防止する、内周面に鋸歯状の凹凸を形成したロウ垂れ防止キャップ１を提供するのみならず、戸外でのろうそくの使用に際しても、風による消燈を防ぐため、着脱自在の風よけ防止フードを提供する。【解決手段】上下開口した略円錐状のロウ垂れ防止キャップ１で、ろうそく上部に直接かぶせ、ロウ垂れ防止キャップ１の上部にて溶融したロウを溜め、中部にてろうそくに係止させ、中部、下部にて、ろうそくからの容易な着脱、傾き補正を可能とする鋸歯状の凹凸を内周面に形成し、更に、下部にて、風よけ防止フード８を係止させる機能を持たせ、風よけ防止フード８はロウ垂れ防止キャップ１に着脱自在に嵌合できることにより、室内で使用しているろうそく、燭台などを、そのまま戸外での使用を可能とし、風による消燈を防止する。【選択図】図４
0003158795.tif 000002
【実用新案登録請求の範囲】
【請求項１】
不燃材料で作られた上下開口した略円錐状であり、下部円筒部（２）と、この円筒部（２）よりも径の小さな上部円筒部（４）と、下部円筒部（２）と上部円筒部（４）とをつなぐ円錐状部（３）とからなるロウ垂れ防止キャップ（１）であって、下部円筒部（２）と円錐状部（３）の内周面には、周方向に沿って縦に鋸歯状の凹凸（６）が形成されていることを特徴とするロウ垂れ防止キャップ（１）。
【請求項２】
請求項１に記載のロウ垂れ防止キャップ（１）と組み合わせて用いる、上下開口した耐熱透明ガラス製からなる縦長の筒状の風よけ防止フード（８）であって、下部は裾広がりの形状を示し、ロウ垂れ防止キャップ（１）と嵌合可能で、ロウ垂れ防止キャップ（１）に着脱自在に係止でき、上方は、上部開口部（９）に向かってやや先細りしたほや状をしており、下部には、燃焼に必要な外気を取り入れる空気取り入れ孔（１０）を穿設していることを特徴とする風よけ防止フード（８）。
【考案の詳細な説明】
【技術分野】
【０００１】本考案は、ろうそくに関して、ろうそく燃焼時のロウ垂れ防止、および、ろうそくを戸外で使用した際の風によるろうそくの炎の吹き消しに関するものである。
【背景技術】
【０００２】ロウ垂れ防止について、従来、ろうそく使用時に、燃焼により溶融したろうそくが垂れて、ろうそく本体側面に付着して美観を損ねたり、垂れたろうそくが、ろうそく燭台のろうそく支柱針周辺に溜まる等を防ぐために、ろうそくの頂部に係止して取り付けて、燃焼により溶融したロウの垂れを防ぐ形状を持ったキャップが考案されていた（例えば、特開昭５８−１６３１０１、並びに特開平９−１６１５１７参照）。【０００３】図５のように、従来のロウ垂れ防止キャップは、上下開口の略円筒状に形成したキャップ本体（１００）の内周面に、下方からろうそく挿通部（１１０）、同ろうそく挿通部（１１０）の上端を漸次縮径した絞り部（１２０）、同絞り部（１２０）の上端に設けたロウ溜まり部（１３０）とから形成され、前記絞り部（１２０）をろうそく（７００）の頂部に係止して取り付け可能としたものである。【０００４】さらに、ろうそく燃焼時に、熱によって、ろうそく挿通部（１１０）内のろうそくが軟化し、キャップ本体（１００）の重量によって、ろうそく（７００）が屈曲するのを防止するために、前記ろうそく挿通部（１１０）の下端縁に、同ろうそく挿通部（１１０）と内周面が面一状態となるように円筒状の裾部（１４０）を一体的に連結し、しかも、同裾部（１４０）を、前記キャップ本体（１００）よりも熱伝導率の小さい素材で形成することにより、裾部（１４０）内のろうそくの軟化を防ぎ、キャップ本体（１００）の重量による、ろうそく（７００）の屈曲を防止しようとするものである。【０００５】また、戸外でろうそくを使用するとき、風によるろうそくの炎の吹き消しは、しばしば経験するところである。微風で消燈にまでいたらないとしても、風によるロウ垂れは、ろうそく本体側面のみならず、燭台並びに燭台設置面まで範囲が広がり、その後の清掃、手入れに時間を労することが多かった。【０００６】そのため、従来、戸外で、ろうそくを使用するとき、風によるろうそくの炎の吹き消しを防止するものとして、金属製もしくは陶器製の不燃性の基盤上にろうそくを立て、そのろうそくを透明耐熱性の円筒状若しくは角筒状の風よけ防止フードによって、ろうそく全体をカバーする構造のものが考案されている。（例えば、特許公開２００４−３５６００８、特許公開平１０−２８３８３５、実用新案公開平０６−０４３９２０、発表実用新案第３００６０８３号参照）。
【先行技術文献】
【特許文献】
【０００７】
【特許文献１】特開昭５８−１６３１０１号広報
【特許文献２】特開平９−１６１５１７号広報
【特許文献３】特許公開２００４−３５６００８号広報
【特許文献４】特許公開平１０−２８３８３５号広報
【特許文献５】実用新案公開平０６−０４３９２０号広報
【特許文献６】発表実用新案第３００６０８３号広報
【考案の概要】
【考案が解決しようとしている課題】
【０００８】ロウ垂れを原因とする美観の問題や、垂れたロウが燭台のろうそく支柱針周辺に溜まる等の手入れの不便さを感じているのは、一般家庭よりも、寺院等の宗教施設が多い。なぜなら、毎朝朝勤で、あるいは法事等で、１回につき４０分から１時間ろうそくを使用し、更に、不特定多数の参拝者が訪れるからである。寺院では、通常使用するろうそくは、６０号ろうそくと１００号ろうそくであり、６０号ろうそくは、直径３、２センチメートル前後、高さ３２センチメートル前後であり、１００号ろうそくは、直径４センチメートル前後、高さ３５センチメートル前後である。
【０００９】前記６０号ろうそくおよび１００号ろうそくは、一般家庭で使用されるろうそくと異なり、直径が３センチ以上もあるため、ロウ垂れ防止キャップ（１００）を、ろうそく頂部に係止させて使用しても、ろうそく挿入部（１１０）のろうそくが軟化しロウ垂れ防止キャップ（１００）の重量で、ろうそく（７００）が屈曲し傾くことはなく、そのため図５の裾部（１４０）は必要となくなる。
【００１０】また、必要としない裾部（１４０）がロウ垂れ防止キャップ（１００）に連結されることによって、ロウ垂れ防止キャップ（１００）のインテリア性、デザイン性の幅をせばめてしまう。
【００１１】ろうそく使用後、ロウ溜まり部（１３０）には、溶融したロウがあるため、ロウが冷えて固まるまでロウ垂れ防止キャップ（１００）を放置しておかざるを得なかった。しかし、ろうそく挿通部（１１０）、絞り部（１２０）、ロウ溜まり部（１３０）のろうそくと接する面は平滑であるために、ロウ垂れ防止キャップの材質によって、ろうそく使用後、ろうそくが冷めた場合、ろうそく（７００）とロウ垂れ防止キャップ（１００）とが密着し、双方を分離することに困難さを生じさせるという問題があつた。
【００１２】また、通常、寺院では、毎朝の朝勤、法事等に、１回、４０分〜１時間の時間を費やす。その間、ろうそくを燃焼させておくが、図５のロウ漏れ防止キャップ（１００）を使用した場合、朝勤、法事等の終了後には、ロウ漏れ防止キャップ（１００）は、垂直に立てられたろうそく（７００）に対して、多少傾くという問題があった。
【００１３】従来の技術では、戸外でのろうそくの使用の際、風による消燈防止の考案は、一般家庭が墓地での使用を念頭に置いて考案されているものがほとんどである。そのため、寺院等が戸外で宗教行事を行う際、宗教施設内で通常使用している前記６０号ろうそく、あるいは１００号ろうそく、および併用する燭台を利用しようとする場合、ほとんど、それらを使用することができないという問題があった。
【００１４】また、燭台も含めた前記６０号ろうそく、あるいは１００号ろうそく全体をカバーする形状の風よけ防止フードを製作しようとする場合は、かなり大きなものとなり、それを御宝前等に設置すると、宗教行事の荘厳さをいささか減ずる印象も参列者に与えかねない。
【００１５】本考案のロウ垂れ防止キャップ並びに風よけ防止フードは、上記問題を解決することを課題にしており、宗教行事の荘厳さを損なうことなく、ろうそく燃焼時、ロウ垂れを防止しすると共にろうそくの燃焼時間を延ばし、ろうそく本体の美観を損なわず、燭台にもロウを溜まらないようにして、掃除、手入れの労力を軽減し、ろうそくが冷めた後でも、容易に、ろうそくと該ロウ垂れ防止キャップとを分離可能とするだけでなく、該ロウ垂れ防止キャップの傾きを同時に補正することを可能とし、更に、戸外でのろうそくの使用においても、該ロウ垂れ防止キャップに着脱自在の風よけ防止フードも提供することを目的としている。
【考案を解決するための手段】
【００１６】請求項１記載のロウ垂れ防止キャップ（１）は、不燃材料で作られた上下開口した略円錐状であり、下部円筒部（２）と、この円筒部（２）よりも径の小さな上部円筒部（４）と、下部円筒部（２）と上部円筒部（４）とをつなぐ円錐状部（３）とからなるロウ垂れ防止キャップ（１）であって、下部円筒部（２）と円錐状部（３）の内周面には、周方向に沿って縦に鋸歯状の凹凸（６）が形成されていることを特徴とする。
【００１７】請求項２記載の風よけ防止フード（８）は、請求項１に記載のロウ垂れ防止キャップ（１）と組み合わせて用いる、上下開口した耐熱透明ガラス製からなる縦長の筒状の風よけ防止フード（８）であって、下部は裾広がりの形状を示し、ロウ垂れ防止キャップ（１）と嵌合可能で、ロウ垂れ防止キャップ（１）に着脱自在に係止でき、上方は、上部開口部（９）に向かってやや先細りしたほや状をしており、下部には、燃焼に必要な外気を取り入れる空気取り入れ孔（１０）を穿設していることを特徴とする。
【００１８】本考案のロウ垂れ防止キャップ（１）の不燃材料として、例えば、金属、陶器、セラミック等が挙げられる。ロウ垂れ防止キャップ（１）に熱伝導率の高い金属を用いる場合、ろうそくの使用時、ロウ垂れ防止キャップ（１）と接しているろうそくの溶融を防止するため、ロウ垂れ防止キャップ（１）の内周面に断熱を目的とする塗装等を施す。
【００１９】本考案の風よけ防止フード（８）をロウ垂れ防止キャップ（１）に嵌合させる場合、風よけ防止フード（８）はガラス製であるために、風よけ防止フード（８）を破損させる恐れがある。また、戸外での使用中、風の影響で、風よけ防止フード（８）とロウ垂れ防止キャップ（１）がずれることも考えられる。そのため、ロウ垂れ防止キャップ（１）の下部円筒部（２）外側と接触する風よけ防止フード（８）の下部（１１）の内周面に、風よけ防止フード（８）の破損防止、並びに滑り止めを目的とする緩衝材を取り付ける。
【考案の効果】
【００２０】ロウ垂れが防止されることにより、溶融したろうそくは全て燃焼に使用され、ろうそくの燃焼時間を長くすることができる。
【００２１】図５の裾部（１４０）を取り付ける必要がないため、ロウ垂れ防止キャップの製作時間、製作費の削減につなげることができ、ロウ垂れ防止キャップの形状や構造を考案していく上で、より高いインテリア性、デザイン性を追求する幅を広げることができる。
【００２２】図１において、ロウ垂れ防止キャップ（１）の内側の内周面に周方向に沿って縦に鋸歯状の凹凸（６）を形成することにより、ろうそく使用後ろうそくが冷めて、ろうそく（７）とロウ垂れ防止キャップ（１）が密着した場合、一方の手でろうそく（７）を回転しないよう押さえ、他方の手でロウ垂れ防止キャップ（１）の傾きの補正も意識しながらロウ垂れ防止キャップ（１）を回転させると、ロウ垂れ防止キャップ（１）の内側の内周面に形成された鋸歯状の凹凸（６）が、密着したろうそく（７）を削り、容易に両者を分離することを可能とし，その際、同時に、ろうそく使用によるロウ垂れ防止キャップ（１）の傾きを補正することができる。
【００２３】ロウ垂れ防止キャップ（１）の材質が、熱伝導率の高い、例えば真鍮のような金属である場合、ろうそく燃焼の熱により該ロウ垂れ防止キャップ（１）も熱せられて熱くなり、ロウ垂れ防止キャップ（１）の下部（２）から、溶解したろうそくが垂れ出ることも考えられる。そのため、ロウ垂れ防止キャップ（１）の内面に、断熱を目的とする塗装等を施すことにより、ロウ垂れ防止キャップ（１）の下部（２）からのロウ垂れを防ぐことが出来る。
【００２４】ロウ垂れ防止キャップ（１）の使用により、ロウ垂れがなくなるために、ろうそく（７）側面を伝わって燭台のろうそく支柱針周辺にロウが溜まらなくなり、燭台の清掃、手入れが容易となる。
【００２５】ロウ垂れ防止キャップ（１）の使用により、ろうそく（７）の側面に、ロウ垂れが付着せず、宗教施設内でろうそく及び燭台が設置される御宝前は、美観を保つことになり、荘厳さを損なうことがなくなる。
【００２６】戸外での宗教行事で、ろうそくを使用するとき、宗教施設内で通常使用している前記６０号ろうそく、若しくは１００号ろうそくに、ロウ垂れ防止キャップ（１）を係止させた場合、本考案の風よけ防止フード（８）を簡単に嵌合でき、もって風によるろうそくの炎の吹き消しを防ぐことができる。
【００２７】戸外での宗教行事で、ろうそくを使用するとき、ロウ垂れ防止キャップ（１）並びに風よけ防止フード（８）を使用することにより、宗教施設内で通常使用している前記６０号ろうそく、若しくは１００号ろうそく、および併用している燭台を、そのまま使用することができる。
【００２８】風よけ防止フード（８）の使用に当たり、ろうそく（７）上部に係止したロウ垂れ防止キャップ（１）に嵌合できるので、該風よけ防止フード（８）の形状は、ろうそくの長短に左右されることはなく、小型で一定である。
【００２９】戸外での宗教行事で、風よけ防止フード（８）を使用した場合、風よけ防止フード（８）は、ろうそく（７）の上部に装着されるので、祭壇に余分なスペースをとらず、また、美観の上からも、荘厳さを保つことになる。
【図面の簡単な説明】
【００３０】
【図１】ロウ垂れ防止キャップの斜視図である。
【図２】ロウ垂れ防止キャップをろうそくに係止した図である。
【図３】風よけ防止フードの斜視図である。
【図４】風よけ防止フードを、ロウ垂れ防止キャップに装着した図である。
【図５】従来のロウ垂れ防止キャップの図である。
【考案を実施するための形態】
【００３１】以下、図面を参照しつつ、本考案のロウ垂れ防止キャップ並びに風よけ防止フードの実施例を説明する。ただし、本考案の技術的範囲は以下の実施形態に示した具体的な用途や形状・寸法などには限定されない。
【実施例】
【００３２】図２は、本考案に係る真鍮で製作されたロウ垂れ防止キャップ（１）を、直径４センチメートル前後、高さ３５センチメートル前後の１００号ろうそく（７）に係止させたものである。燭台に垂直に立てられたろうそく（７）に対して、ロウ垂れ防止キャップ（１）が垂直に係止するようロウ垂れ防止キャップ（１）を回転させると該ロウ垂れ防止キャップ（１）の内周面に形成された鋸歯状の凹凸（６）が、ろうそく（７）を適切に削り、ロウ垂れ防止キャップ（１）を適切な位置に設置することができる。【００３３】ろうそくの芯（６）に着火するすると、炎の熱によりろうそく頂部を中心にロウが溶融し、上部（４）の内側に一定量のロウが溜まる。芯（６）はこの溶融したロウを毛管現象により吸引し、燃焼を継続する。【００３４】時間の経過と共に、ろうそく（７）頂部は継続的に溶融し、かつ燃焼によって溶融したロウは継続的に消費される。このためロウ垂れ防止キャップ（１）自体は常時一定量の溶融したロウを上部（４）に溜めた状態でロウの燃焼と共に下降し、溶融したロウがろうそく（７）の側面に沿って垂れ落ちることはない。【００３５】朝勤、法事等の終了後、ろうそく（７）の火を消すが、上部（４）にロウが溶融したままなので、そのままの状態で放置する。【００３６】宗教行事を執り行うために、ろうそく（７）に着火するにあたり、該ロウ垂れ防止キャップ（１）が傾いている場合、該ロウ垂れ防止キャップ（１）を回転させることにより、その傾きを補正することができる。【００３７】図４は、戸外でのろうそくの使用にあたり、風よけ防止フード（８）をロウ垂れ防止キャップ（１）に嵌合した図である。戸外でろうそくを使用するに当たり、ロウ垂れ防止キャップ（１）を係止させたそうろく（７）に、火をつけ、その後、該風よけ防止フード（８）をろうそくの火の上からかぶせ、嵌合させる。【００３８】該風よけ防止フード（８）の上端は上部開口部（９）として前面開放されているので、ろうそく（７）の燃焼動作に伴って空気取り入れ孔（１０）から流入した外気が、下方から上方に向かって流れ、ろうそく（７）の炎は、風に吹き消されることなく安定して燃焼し続ける。
【符号の説明】
【００３９】１      ロウ垂れ防止キャップ
２      下部円筒部
３      円錐状部
４      上部円筒部
５      鋸歯状の凹凸
６      ろうそくの芯
７      ろうそく
８      風よけ防止フード
９      上部開口部
１０    空気取り入れ孔
１１    ロウ垂れ防止キャップと風よけ防止フードとの接触部
１００  キャップ本体
１１０  ろうそく挿入部
１２０  絞り部
１３０  ロウ溜まり部
１４０  裾部
６００  ろうそくの芯
７００  ろうそく
【図１】
0003158795.tif 000003
【図２】
0003158795.tif 000004
【図３】
0003158795.tif 000005
【図４】
0003158795.tif 000006
【図５】
0003158795.tif 000007